(57)【要約】【課題】短い自毛にもＥＸ束を取り付けることができ、また一人の作業者で短時間に取り付けることができるエクステンション取付具とその取付方法を提供する。【解決手段】エクステンション束（４）の端部を圧着する第１圧着部（６）と、自毛束（９）の中間部（９ａ）を圧着する第２圧着部（７）を、長手方向の両側に一体に形成した圧着金具（２）を用いて、圧着作業により自毛束（９）にエクステンション束（４）を取り付ける。圧着した圧着金具（２）の全体は、収縮チューブ（３）で覆われるので、手が触れても危険がなく、圧着金具（２）の金属色は目立たない。【選択図】　図２
2004027402.tif 000002
【特許請求の範囲】
【請求項１】
それぞれ断面Ｕ字状に形成された第１圧着部（６）と第２圧着部（７）が、長手方向の両側に一体に形成された圧着金具（２）と、
第１圧着部（６）でエクステンション束（４）の端部を圧着し、第２圧着部（７）で自毛を束ねた自毛束（９）の中間部（９ａ）を圧着した圧着金具（２）を挿通させ、圧着金具（２）の全体を覆う収縮チューブ（３）と、を備えたことを特徴とするエクステンション取付具。
【請求項２】
自毛束（９）の圧着された中間部（９ａ）から先端側が、圧着金具（２）とともに収縮チューブ（３）に挿通され、収縮チューブ（３）で、自毛束（９）の挿通部が圧着金具（２）に添着されることを特徴とする請求項１記載のエクステンション取付具。
【請求項３】
エクステンション束（４）の端部を圧着金具（２）の一側に形成した第１圧着部（６）で圧着し、圧着金具（２）に連結する第１工程と、
自毛を束ねた自毛束（９）の中間部（９ａ）を圧着金具（２）の他側に形成した第２圧着部（７）で圧着し、圧着金具（２）に連結する第２工程と、
エクステンション束（４）の端部と自毛束（９）の中間部（９ａ）を圧着した圧着金具（２）を収縮チューブ（３）に挿通させる第３工程と、
圧着金具（２）の全体を、収縮チューブ（３）で覆う第４工程と、
からなることを特徴とするエクステンションの取付方法。
【請求項４】
第３工程は、圧着金具（２）とともに、自毛束（９）の圧着された中間部（９ａ）から先端側を、収縮チューブ（３）に挿通させる工程であり、
第４工程は、収縮チューブ（３）で、自毛束（９）の挿通部を圧着金具（２）に添着し、圧着金具（２）の全体を覆う工程であることを特徴とする請求項３に記載のエクステンションの取付方法。
【請求項５】
第４工程は、熱収縮チューブである収縮チューブ（３）を加熱し、圧着金具（２）の全体に密着させる工程であることを特徴とする請求項３又は４のいずれか１項に記載のエクステンションの取付方法。
【請求項６】
第１工程は、エクステンション束（４）の端部に耐熱テープ（５）が巻き付けられ、耐熱テープ（５）で縛着したエクステンション束（４）の端部を、第１圧着部（６）で圧着する工程であることを特徴とする請求項５に記載のエクステンションの取付方法。
【発明の詳細な説明】
【０００１】
【発明の属する技術分野】
本発明は、自毛の束に、更に人工毛髪若しくは人毛で構成されるエクステンションの束を取り付けるエクステンション取付具とその取付方法に関する。
【０００２】
【従来の技術】
エクステンションは、毛髪の量感や質感を出したり、頭髪の長さを補い、好みのヘアスタイルとする目的で、自毛に取り付けられる。
【０００３】
従来、自毛に対するエクステンションの取り付けは、自毛を束ねた自毛束に対して、所定量のエクステンション束（以下、ＥＸ束という）を用意し、四つ編みなどの方法で自毛束に編み込んで取り付けている。
【０００４】
以下、この従来の取付方法を図１７を用いて説明する。
【０００５】
まず、地肌から所定本数の自毛束１０１を取り分け、この自毛束１０１を２つの束に分け、その間に所定本数のＥＸ束１０２を交差させるように配置する（図１７（ａ）参照）。
【０００６】
続いて、自毛束１０１の両側をＥＸ束１０２上で交差させ（同図（ｂ）参照）、更に、ＥＸ束１０２の両側を交差させた自毛束１０１上で交差させる（同図（ｃ）参照）。同じ手順で図１７（ｂ）、（ｃ）に示される交差作業を複数回繰り返し、自毛束１０にＥＸ束１０２を編み込む。
【０００７】
その後、自毛束１０１とＥＸ束１０２の編み込み部分の端を糸ゴム１０３で縛り（同図（ｄ）参照）、自毛束１０１にＥＸ１０２束を取り付ける（同図（ｅ）参照）。
【０００８】
【発明が解決しようとする課題】
しかしながら、この従来のエクステンションの取り付け方法では、自毛が２乃至３ｃｍ以下となると、ＥＸ束１０２との編み込み作業が極めて困難となり、全ての人にエクステンションを取り付けることができず、またその取り付け位置も限られる場合があった。しかも、自毛束１０１とＥＸ束１０２の一方を所定の位置に保持した状態で、他方の両側を持って編み込み作業を行う必要があるため、２人以上の作業者が必要となり、取り付け時間もかかるものであった。例えば、自毛を束にしてその都度ＥＸ束１０２を編み込む作業工程を４０回程度繰り返す必要があり、通常５乃至６時間の作業時間を要するものであった。
【０００９】
また、編み込み作業の際に、自毛を引っ張りやすく、頭皮を痛め不快感を与えやすく、編み込んだ端を縛る糸ゴム１０３が切れると、抜けてしまうという問題もあった。
【００１０】
更に、ＥＸ束１０２は、自毛束１０１と複雑に編み込まれるので、不要となった場合に自毛束１０１から分離しにくく、変形しているので、再利用ができないものであった。
【００１１】
本発明は、上述問題に鑑みてなされたもので、短い自毛にもＥＸ束を取り付けることができ、また一人の作業者で短時間に取り付けることができるエクステンション取付具とその取付方法を提供することを目的とする。
【００１２】
また、エクステンションを簡単に自毛から外すことができ、再利用が可能なエクステンション取付具とその取付方法を提供することを目的とする。
【００１３】
【課題を解決するための手段】
上述の目的に鑑み、請求項１に係るエクステンション取付具は、それぞれ断面Ｕ字状に形成された第１圧着部と第２圧着部が、長手方向の両側に一体に形成された圧着金具と、第１圧着部でエクステンション束の端部を圧着し、第２圧着部で自毛を束ねた自毛束の中間部を圧着した圧着金具を挿通させ、圧着金具の全体を覆う収縮チューブと、を備えたことを特徴とする。
【００１４】
一側の第１圧着端部でエクステンション束の端部を圧着し、他側の第２圧着部で自毛束の中間部を圧着するので、圧着金具を介して自毛束にエクステンション束が取り付けられる。
【００１５】
圧着した圧着金具の全体は、収縮チューブで覆われるので、手が触れても危険がなく、また、自毛若しくはエクステンションに合わせて種々の色調とすることができる。
【００１６】
請求項２のエクステンション取付具は、自毛束の圧着された中間部から先端側が、圧着金具とともに収縮チューブに挿通され、収縮チューブで、自毛束の挿通部が圧着金具に添着されることを特徴とする。
【００１７】
自毛束の圧着される中間部から先端側の挿通部が収縮チューブで束ねられ圧着金具に添着されるので、長さにばらつきのある自毛束の先端側がエクステンションに沿って導出される。
【００１８】
請求項３のエクステンションの取付方法は、エクステンション束の端部を圧着金具の一側に形成した第１圧着部で圧着し、圧着金具に連結する第１工程と、自毛を束ねた自毛束の中間部を圧着金具の他側に形成した第２圧着部で圧着し、圧着金具に連結する第２工程と、エクステンション束の端部と自毛束の中間部を圧着した圧着金具を収縮チューブに挿通させる第３工程と、圧着金具の全体を、収縮チューブで覆う第４工程と、からなることを特徴とする。
【００１９】
第１工程と第２工程で、一側の第１圧着端部でエクステンション束の端部を圧着し、他側の第２圧着部で自毛束の中間部を圧着するので、圧着金具を介して自毛束にエクステンション束が取り付けられる。
【００２０】
第３工程と第４工程で、圧着した圧着金具の全体は、収縮チューブで覆われるので、手が触れても危険がなく、また、自毛若しくはエクステンションに合わせて種々の色調とすることができる。
【００２１】
請求項４のエクステンションの取付方法は、第３工程が、圧着金具とともに、自毛束の圧着された中間部から先端側を、収縮チューブに挿通させる工程であり、第４工程が、収縮チューブで、自毛束の挿通部を圧着金具に添着し、圧着金具の全体を覆う工程であることを特徴とする。
【００２２】
第４工程で、自毛束の圧着される中間部から先端側の挿通部が収縮チューブで束ねられ圧着金具に添着されるので、長さにばらつきのある自毛束の先端側がエクステンションに沿って導出される。
【００２３】
請求項５のエクステンションの取付方法は、第４工程が、熱収縮チューブである収縮チューブを加熱し、圧着金具の全体に密着させる工程であることを特徴とする。
【００２４】
圧着金具を挿通させる際には収縮させず、挿通後に加熱し収縮させることができるので、圧着金具を収縮チューブへ容易に挿通させることができる。
【００２５】
請求項６のエクステンションの取付方法は、第１工程が、エクステンション束の端部に耐熱テープが巻き付けられ、耐熱テープで縛着したエクステンション束の端部を、第１圧着部で圧着する工程であることを特徴とする。
【００２６】
エクステンション束の端部は、耐熱テープを介して第１圧着部で圧着されるので、隙間なくエクステンションの各部に均一に圧着力が加わり、エクステンションの一部が第１圧着部から抜け出ることがない。
【００２７】
【発明の実施の形態】
以下、本発明の実施形態に係るエクステンション取付具１とエクステンションの取付方法を説明する。
【００２８】
エクステンション取付具１は、圧着金具２と、圧着した圧着金具の全体を覆う収縮チューブ３と、エクステンションの束（ＥＸ束）４の端部を巻回する粘着テープ５からなっている。
【００２９】
圧着金具２は、プレス加工により、金属薄板を打ち抜き、図１に示す形状に折り曲げ加工したもので、第１圧着部６と第２圧着部７とが連結片８の両側に一体に連結されたものである。圧着金具２の材料は、軽量で所定の強度を有するアルミニューム、銅合金、銀等の金属材料が好ましく、本実施の形態では、アルミニウムとしている。
【００３０】
第１圧着部６と第２圧着部７の形状は、電気コネクタに取り付けられる圧着端子が、そのオープンバレルを加締めて、多数の導電線からなる束を圧着接続することから得たものであり、それぞれ圧着端子のオープンバレルに類似する半円筒状の腕部６ａ、７ａを対向させた断面Ｕ字状に形成されている。
【００３１】
断面Ｕ字状の内径は、直径２乃至３ｍｍにまとめるＥＸ束４及び自毛束９をそれぞれ収容して圧着するように、ここでは４ｍｍ前後としている。また、圧着金具２全体の長手方向の長さは、１０ｍｍ前後で、個々には目立たず軽量なものとなっている。
【００３２】
また、第２圧着部７を構成するＵ字状腕部７ａの端面には、引掛け片１０が一体に突設されている。この引掛け片１０は、後述するように、圧着した自毛束９を圧着金具２から外す際に、ペンチで挟み、加締められ塑性変形したＵ字状腕部７ａを原形状に復帰させる為に形成されるものである。
【００３３】
収縮チューブ３は、可撓性のプラスチック材料で円筒形に形成されたもので、ＥＸ束４と自毛束９を圧着した圧着金具２の周囲全体を覆うものである。圧着金具２を挿通させた後に、その周囲全体に密着して覆うように、ここでは熱収縮性のプラスチック材料、例えば塩化ビニールで形成される。収縮チューブ３を収縮させて圧着金具２の周囲に密着させることにより、収縮チューブ３が位置ずれしたり、圧着金具２の周囲から外れることがなく、このように作用するものであれば、ゴム等の弾性材料で収縮チューブ３を形成してもよい。
【００３４】
また、収縮チューブ３は、種々の色調や材質を用いることができ、ＥＸ束４や自毛束９のカラーと合わせて目立たないものとしたり、逆にアクセサリーのように特徴のあるデザインとすることもできる。
【００３５】
粘着テープ５は、内面に粘着材が塗布されたテープであり、図１のようにＥＸ束４の端部に巻き付けて縛着するものである。粘着テープ５が巻き付けられるＥＸ束４の端部は、第１圧着部６の腕部６ａに圧着される部分であり、可撓性の粘着テープ５をＥＸ束４と腕部６ａの間に介在させることにより、圧着力が各エクステンションに伝達され、屈曲する腕部６ａの隙間で直接圧着力が加わらないエクステンションがあっても抜け出ることがないものとなっている。
【００３６】
本実施の形態では、熱収縮性の収縮チューブ３を用いて加熱するので、その熱で溶融しないように、耐熱性の粘着テープを用いている。
【００３７】
以下、図１から図１６を用いてエクステンションの取付方法を説明する。
【００３８】
始めに取り付けようとするエクステンションを直径２乃至３ｍｍの一束分の毛束にまとめてＥＸ束４とし、図１に示すように、その先端に、幅が７乃至８ｍｍの粘着テープ５を引っ張りながら巻き付ける。引っ張りながら巻き付けることにより、ＥＸ束４全体が粘着テープ５により締め付けられ、エクステンションの一部が抜け出にくくなる。粘着テープ５から突き出したＥＸ束４の先端は、切り落とし、揃えておくのが好ましい。
【００３９】
続いて、図３から図６に示すように、圧着金具２の第１圧着部６に、粘着テープ５で巻回したＥＸ束４の先端を載置し、図５に示すように圧着ペンチ１５を用いて腕部６ａを加締める。図２（ｂ）に示すように、一対の腕部６ａが加締められると、ＥＸ束４は、第１圧着部６の腕部６ａ間で圧着され、圧着金具２の一側に固着される。
【００４０】
この作業工程により、先端に圧着金具２が固着された一組のＥＸ束４が出来上がるが、後述の自毛束９への取付前に、同じ工程を繰り返して多数を用意しておき、その中から、予め一人分の頭髪に取り付ける全ての組（例えば４０組）分を選択して用意しておいてもよい。
【００４１】
このように予め用意する方法をとれば、色調や長さ、太さ、パーマの有無等によってより分けた多種類の圧着金具２付きＥＸ束４を作成しておき、種々の嗜好に合わせたＥＸ束４を短時間に取り付けることができる。
【００４２】
続いて、ＥＸ束４を取り付ける自毛束９を頭髪からより分ける。この工程は、襟足の部分をブロッキングして、図７に示すように、３ｍｍ幅前後の自毛束９を頭髪からより分け、プラスチックプレート１１のスリットに、差し込み取り出す。
【００４３】
取り出した自毛束９の中間部９ａは、ＥＸ束４が取り付けられている圧着金具２の第２圧着部７内に載置し、図９に示すように、圧着ペンチ１５で腕部７ａを加締め、自毛束９の中間部９ａを圧着する。これによりＥＸ束４は、圧着金具２を介して自毛束９の中間部９ａに取り付けられる。
【００４４】
この状態で、圧着された中間部９ａから先端側の自毛束９は、図２（ａ）と図１０に示すように、加締められた第１圧着部６の側方から、ＥＸ束４に沿って引き出される。
【００４５】
続いて、案内針１２の一端に連結したループ状の糸１３を、圧着端子２の第１圧着部６側から引き出されたＥＸ束４と自毛束９の周囲に巻き付け（図１１参照）、案内針１２をループ状の糸１３へ挿通させて、ループ状の糸１３を絞る（図１２参照）。この作業により、案内針１２の一端の糸１３に、圧着金具２から引き出されたＥＸ束４と自毛束９が連結され、案内針１２を収縮チューブ３へ挿通させることにより、これらのＥＸ束４と自毛束９も収縮チューブ３を挿通する（図１３参照）。
【００４６】
案内針１２を引っ張ることにより、ＥＸ束４に連結する圧着金具２も収縮チューブ３内に挿通し、この挿通と前後して、ＥＸ束４と自毛束９の先端も、収縮チューブ３を挿通する（図１３、図１４参照）。収縮チューブ３の内径は、圧着後の圧着金具２の外径よりやや大きく形成されているが、圧着金具２が収縮チューブ３内に入りにくい場合には、収縮チューブ３を直接手に持ち、既に収縮チューブ３に挿通させたＥＸ束４と自毛束９を引っ張り、圧着金具２を収縮チューブ３内に挿入する。
【００４７】
収縮チューブ３内に圧着金具２の全体が挿入され、その周囲が完全に収縮チューブ１３で覆われた状態で、糸１３を切断するか、再び案内針１２をループ状の糸１３に挿通させて、ＥＸ束４と自毛束９から案内針１２及び糸１３を取り外す。
【００４８】
その後、図１５に示すように、ストレートパーマをかける際に用いるストレートアイロン１４で収縮チューブ３を加熱し、収縮させて圧着金具２の周囲に密着させる。加熱作業は、圧着金具２から基端側（頭皮側）に突出する収縮チューブ３の部分を充分加熱することにより、収縮チューブ３が外れにくくなる。
【００４９】
収縮チューブ３を密着させることにより、加締められた第１圧着部６と第２圧着部７の腕部６ａ、７ａが復帰し圧着接続が解けることがなく、また、圧着金具２の各部が露出しないので、指などに触れて傷つける危険もなく、圧着金具２の金属色が頭髪中に見えることもない。
【００５０】
また、収縮チューブ３が圧着金具２の周囲全体に密着する状態では、自毛束９の圧着された中間部９ａから先端側も、第１圧着部６と収縮チューブ３に挟まれ、ばらつくことなく、圧着金具２の一側からＥＸ束４に混ざって自然に引き出される。
【００５１】
このようにして、取り付けたＥＸ束４を自毛束９から外す場合には、収縮チューブ３にカッターで切れ目を入れ、収縮チューブ３を切り裂いて外した後、圧着金具２の引掛け片１０をラジオペンチなどで掴み、第２圧着部７を構成するＵ字状腕部７ａを圧着の際に加締められた方向と逆方向の外方に折り曲げる。この折り曲げにより自毛束９への圧着が解かれ、自毛束９からＥＸ束４が連結された圧着金具２が外れる。
【００５２】
圧着金具２に取り付けられたまま切り離されたＥＸ束４は、Ｕ字状腕部７ａが破損していなければ、洗い直すなどして、再び自毛束９へ取り付けるために再利用することが可能であるが、治具等を用いて第１圧着部６の圧着を解くか、圧着されている先端部を切断することにより、圧着金具２を分離し、粘着テープ５を外して再利用することも可能である。
【００５３】
本発明は、上述の実施の形態に限られるものではなく、粘着テープ５は、自毛束９の圧着部へも巻き付けてもよく、また、ＥＸ束４の全体を確実に圧着できるものであれば、必ずしも巻き付ける必要はない。
【００５４】
更に、本実施の形態では、耐熱性の粘着テープ５を用いたが、収縮チューブ３を加熱するものでなければ、必ずしも耐熱性である必要はない。
【００５５】
また、圧着金具２の形状は、図１に示す形状に限らず、両側に第１圧着部６と第２圧着部７が形成されていれば、いずれの形状であってもよい。
【００５６】
【発明の効果】
以上説明したように請求項１と３の発明によれば、自毛束を圧着金具で圧着してエクステンション束を取り付けるので、２乃至３ｃｍ以下の短い自毛に対してもＥＸ束を取り付けることができる。
【００５７】
また、編み込み作業を要せず、圧着作業で取り付けることができるので、４０組程度のエクステンション束を１乃至２時間の短時間で取り付けることができ、しかも一人でエクステンションを取り付けることができる。
【００５８】
更に、エクステンション束は、不要となった場合に自毛束から簡単に分離でき、再利用することができる。
【００５９】
また、請求項２と４の発明によれば、これに加えて、自毛束の圧着される中間部から先端側の挿通部が収縮チューブで束ねられ圧着金具に添着されるので、長さにばらつきのある自毛束の先端側がエクステンションに沿って導出される。
【００６０】
また、請求項５の発明によれば、圧着金具を容易に収縮チューブ内に挿通させることができ、更に、圧着金具が収縮チューブ内に収容された後は、加熱するだけで、外れにくくすることができる。
【００６１】
また、請求項６の発明によれば、エクステンション束の端部は、耐熱テープを介して第１圧着部で圧着されるので、隙間なくエクステンションの各部に均一に圧着力が加わり、エクステンションの一部が第１圧着部から抜け出ることがない。
【図面の簡単な説明】
【図１】本発明に係る圧着金具２と粘着テープ５を先端部に巻き付けたＥＸ束４を示す斜視図である。
【図２】ＥＸ束４と自毛束９を圧着し、圧着金具２へ取り付けた状態を示し、
（ａ）は、正面図、
（ｂ）は、ＥＸ束４を圧着した第１圧着部６の縦断面図、
である。
【図３】圧着金具２へＥＸ束４を連結する最初の工程を示す斜視図である。
【図４】ＥＸ束４の圧着前の工程を示す斜視図である。
【図５】ＥＸ束４を圧着する工程を示す斜視図である。
【図６】ＥＸ束４を圧着金具２に連結した状態を示す斜視図である。
【図７】自毛束９を頭髪からより分ける工程を示す斜視図である。
【図８】自毛束９の圧着前の工程を示す斜視図である。
【図９】自毛束９を圧着する工程を示す斜視図である。
【図１０】自毛束９を圧着金具２に連結した状態を示す斜視図である。
【図１１】案内針１２に、ＥＸ束４と自毛束９を連結する工程を示す斜視図である。
【図１２】案内針１２に、ＥＸ束４と自毛束９を連結した状態を示す斜視図である。
【図１３】収縮チューブ３に、圧着金具２を挿通させる工程を示す斜視図である。
【図１４】収縮チューブ３に、圧着金具２を挿通させた状態を示す斜視図である。
【図１５】収縮チューブ３を加熱する工程を示す斜視図である。
【図１６】自毛束９にＥＸ束４を取り付けた状態を示す斜視図である。
【図１７】従来のエクステンションの取付方法を示し、
（ａ）は、自毛束１０１へＥＸ束１０２を取り付ける前の工程を、
（ｂ）は、ＥＸ束１０２へ自毛束１０１を結ぶ工程を、
（ｃ）は、自毛束１０１へＥＸ束１０２を結ぶ工程を、
（ｄ）は、糸ゴム１０３を巻き付ける工程を、
（ｅ）は、自毛束１０１へＥＸ束１０２を取り付けた状態を、
それぞれ示す斜視図である。
【符号の説明】
１　　　　　エクステンション取付具
２　　　　　圧着金具
３　　　　　収縮チューブ
４　　　　　エクステンション束（ＥＸ束）
５　　　　　粘着テープ（耐熱テープ）
６　　　　　第１圧着部
７　　　　　第２圧着部
９　　　　　自毛束
９ａ　　　　自毛束の中間部
【図１】
2004027402.tif 000003
【図２】
2004027402.tif 000004
【図３】
2004027402.tif 000005
【図４】
2004027402.tif 000006
【図５】
2004027402.tif 000007
【図６】
2004027402.tif 000008
【図７】
2004027402.tif 000009
【図８】
2004027402.tif 000010
【図９】
2004027402.tif 000011
【図１０】
2004027402.tif 000012
【図１１】
2004027402.tif 000013
【図１２】
2004027402.tif 000014
【図１３】
2004027402.tif 000015
【図１４】
2004027402.tif 000016
【図１５】
2004027402.tif 000017
【図１６】
2004027402.tif 000018
【図１７】
2004027402.tif 000019